【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
ユーザインターフェースを有するコンピュータに関係して、
アクションがブロックされるウェブページに関連付けられたオブジェクトの説明を含むモードレスプロンプトを表示することと、
前記オブジェクトに対応する対話式プロンプトを表示することと
を備え、
前記オブジェクトは、アクションがブロックされることがあり、前記モードレスプロンプトに説明が現れることがある複数種類のオブジェクトの１つであることを特徴とする方法。
【請求項２】
前記対話式プロンプトは、ユーザアクションにより前記アクションをブロック解除し得るようにすることを特徴とする請求項１に記載の方法。
【請求項３】
前記オブジェクトの説明は、前記ウェブページに関連付けられた、さらにブロックされたオブジェクトの説明に従って表示され、前記方法は、前記ブロックされたオブジェクトおよび前記さらにブロックされたオブジェクトの少なくとも１つをアクションされ得るようにすることをさらに備えることを特徴とする請求項１に記載の方法。
【請求項４】
前記オブジェクトの説明を表示することは、ユーザアクションに応答して行われることを特徴とする請求項１に記載の方法。
【請求項５】
前記オブジェクトの説明を表示することは、前記モードレスプロンプトの一部の上にポインタがホバーしているときクリックすることを含むユーザアクションに応答して行われることを特徴とする請求項１に記載の方法。
【請求項６】
前記オブジェクトは、前記ウェブページに関連付けられ、ダウンロード可能コード、ＵＲＬ、ポップアップウィンドウ、またはファイルへのリンクのいずれか１つを含むことを特徴とする請求項１に記載の方法。
【請求項７】
前記オブジェクトは、リモートサーバ上のオブジェクトへのリンクであり、さらに前記リモートサーバ上のオブジェクトは、ダウンロード可能コード、スクリプト、ポップアップウィンドウ、ビデオファイルへのリンク、オーディオファイルへのリンク、またはテキストファイルへのリンクのいずれか１つを含むことを特徴とする請求項１に記載の方法。
【請求項８】
前記オブジェクトの説明は、前記ウェブページに関連付けられた、さらにブロックされたオブジェクトの説明に従って表示され、
前記方法は、可能にすることと、少なくとも前記ブロックされたオブジェクトおよび前記さらにブロックされたオブジェクトの特定の１つに適切であるアクションとをさらに備えることを特徴とする請求項１に記載の方法。
【請求項９】
ウェブページに関連付けられた複数種類のオブジェクトの少なくとも１つについてのアクションがブロックされることの通知を表示することと、
前記オブジェクトの説明をモードレスプロンプトで表示することであって、前記複数種類のオブジェクトのすべてについての説明が表示され得ることと、
対話式プロンプトを表示して、前記オブジェクトをアクションされ得るようにすることと
を備え、
前記オブジェクトの説明は、前記ウェブページに関連付けられた、ブロックされたオブジェクトの一連のリストと関係して表示されることを特徴とする方法。
【請求項１０】
コンピュータに関係して、ウェブページに関連付けられた、検出されたオブジェクトに従ってプロンプトを提供するユーザインターフェースであって、
ウェブページに関連付けられた複数種類のオブジェクトの少なくとも１つについてのアクションが抑制されたことの通知を表示する、モードレスプロンプトのテキストフィールドであって、前記複数種類のオブジェクトのすべてについての説明が表示され得る、テキストフィールドと、
前記テキストフィールドとの対話を使用して、前記アクションをアクティブ化し得るようにするモーダルプロンプトと、
前記オブジェクトの説明を表示するインターフェースと
を備えたことを特徴とするユーザインターフェース。
【請求項１１】
前記テキストフィールドは、前記ウェブページに取って代わることを特徴とする請求項１０に記載のユーザインターフェース。
【請求項１２】
前記モーダルプロンプトは、前記テキストフィールドの一部をカーソルが指しているときユーザが前記アクションをアクティブ化し得るようにすることを特徴とする請求項１０に記載のユーザインターフェース。
【請求項１３】
前記オブジェクトの説明は、対応するアクションを抑制したウェブページに関連付けられたカスケード表示のリストに関連して表示されることを特徴とする請求項１０に記載のユーザインターフェース。
【請求項１４】
前記オブジェクトは、前記ウェブページに関連付けられ、ダウンロード可能コード、スクリプト、またはリンクされたファイルのいずれか１つを含むことを特徴とする請求項１０に記載のユーザインターフェース。
【請求項１５】
前記オブジェクトは、リモートサーバ上のオブジェクトへのリンクであり、さらに前記リモートサーバ上の前記オブジェクトは、ダウンロード可能コード、スクリプト、ビデオファイルへのリンク、オーディオファイルへのリンク、またはテキストファイルへのリンクのいずれか１つを含むことを特徴とする請求項１０に記載のユーザインターフェース。
【請求項１６】
前記テキストフィールドは、モードレスプロンプトであることを特徴とする請求項１０に記載のユーザインターフェース。
【請求項１７】
前記オブジェクトの説明および前記オブジェクトについての前記アクションの説明は、さらなるオブジェクトおよび前記さらなるオブジェクトにそれぞれ対応する抑制されたアクションのリストに関連して表示されることを特徴とする請求項１０に記載のユーザインターフェース。
【手続補正２】
【補正対象書類名】明細書
【補正対象項目名】００４２
【補正方法】変更
【補正の内容】
【００４２】
オブジェクト２０８のコンテンツがレンダリング可能でないと判定される場合（５２６）、オブジェクト２０８のコンテンツがダウンロードを必要とするかどうかについて判定を行う（５２７）。オブジェクト２０８のコンテンツがダウンロードを必要としないと判定される場合（５２７）、オブジェクト２０８に対してアクティブ化の機会３２０が提供される。アクティブ化の機会３２０は、オブジェクト２０８のコンテンツを自動的にブラウザ上にレンダリングすることを含むことができる。あるいは、モーダルプロンプトを表示して、オブジェクト２０８のレンダリングを対話式に受諾または拒否する機会をユーザに提供することができ、またはモードレスプロンプトを表示して、オブジェクト２０８のレンダリングの機会をユーザに通知することができる。
【手続補正３】
【補正対象書類名】明細書
【補正対象項目名】００５８
【補正方法】変更
【補正の内容】
【００５８】
モードレスプロンプト８０５の例示的な実施形態はまた、前述のようにアクションが抑制されたオブジェクト２０８の詳細を検討するための対話式の機会をユーザに提供することもできる。例えば、カーソル８０７がモードレスプロンプト８０５の一部の上をホバーすると（ユーザがポインタをアクティブ化する必要があってもなくてもよい）、メニュー８１０を表示して、アクションが抑制された何らかのオブジェクト２０８の特性をユーザに知らせることができる。例として、メニュー８１０は、前述の図４〜７におけるオブジェクト２０８の特性をリストしているが、このような実施形態は単に例として提供している。図８Ａで、メニュー８１０は、抑制されることになる以下のオブジェクトのアクションを示している。すなわち、ユーザ以外によって開始されたコードインストール８１５、ブラウザ内で安全に表示されない可能性があるコード８２０、ポップアップウィンドウ８２５、セキュリティ設定を超えるオブジェクト８３０である。しかし、メニュー８１０の代替の実施形態は、項目８１５、８２０、８２５、８３０のうちの１つだけを含んでもよい。すなわち、このような代替の実施形態では、一番最近ブロックされたオブジェクト２０８に関係するメニュー項目を表示することができる。